(57)【要約】 【課題】  計数機の設置場所が識別しやすく、かつ、計数機に投入されるパチンコ玉およびメダルの刻印やパチンコ玉およびメダルの色を容易に判別することができる、パチンコ玉またはメダル計数機を提供すること。【解決手段】  計数機本体４と該計数機本体４でカウントされた数を表示する表示部５からなるパチンコ玉またはメダル用計数機１には、計数機本体４に投入されてなるパチンコ玉９またはメダルを照射する照明部２を備えるパチンコ玉またはメダル計数機１とした。【選択図】図１
0003167514.tif 000002
【実用新案登録請求の範囲】
【請求項１】
計数機本体と該計数機本体でカウントされたパチンコ玉またはメダルの数を表示する表示部からなるパチンコ玉またはメダル計数機には、計数機本体に投入されるパチンコ玉またはメダルを照射する照明部を備えることを特徴とするパチンコ玉またはメダル計数機。
【請求項２】
照明部は、計数機本体の上方部に設置され、前記計数機本体に投入されるパチンコ玉またはメダルを照射することを特徴とする請求項１に記載のパチンコ玉またはメダル計数機。
【請求項３】
照明部は、計数機本体と前記計数機本体の上方部に形成された表示部との間に設置されることを特徴とする請求項１または２に記載のパチンコ玉またはメダル計数機。
【請求項４】
照明部は、計数機本体の玉受け部の開口内側部に設置され、前記計数機本体に投入されるパチンコ玉またはメダルを照射することを特徴とする請求項１に記載のパチンコ玉またはメダル計数機。
【請求項５】
照明部に設置される照明は、単色の照明、多色の照明または照明色が切り替わる多色照明のいずれかであることを特徴とする請求項１乃至４のいずれかに記載のパチンコ玉またはメダル計数機。
【請求項６】
パチンコ玉またはメダル計数機は、照明を点灯させる点灯スイッチ機構、および/または、照明を点滅させる点滅スイッチ機構、および/または、多色照明の照明色を切り替える照明スイッチ機構を備えてなることを特徴とする請求項１乃至５のいずれかに記載のパチンコ玉またはメダル計数機。
【請求項７】
パチンコ玉またはメダル計数機は、パチンコ玉またはメダル計数機の稼働を検知する稼働検知装置を備えてなり、前記稼働検知装置がパチンコ玉またはメダル計数機の稼働を検知すると、照明を点灯させる点灯スイッチ機構、および/または、照明を点滅させる点滅スイッチ機構、および/または、多色照明の照明色を切り替える照明スイッチ機構が作動することを特徴とする請求項６に記載のパチンコ玉またはメダル計数機。
【請求項８】
前記稼働検知装置は、計数機本体の玉受け部に配設される光学センサー、または、温度センサー、または、計数機本体のカウンター端子より出力される電気信号を検出する検出器であることを特徴とする請求項７に記載のパチンコ玉またはメダル計数機。
【考案の詳細な説明】
【技術分野】
【０００１】
本考案は、パチンコ又はパチスロ等遊技機での遊技を終えた顧客が獲得したパチンコ玉又はメダルの数を計数するパチンコ玉またはメダル計数機に関する。
【背景技術】
【０００２】
従来より、獲得したパチンコ玉又はメダルを計数する際に、パチンコ玉またはメダル計数機が用いられている。この計数機の従来の構造は、計数機本体を成す玉受け部と玉受け部から連なるホッパー部とホッパー部に形成されたカウンターからなり、該計数機本体でカウントされた玉数が表示される表示部とからなっている。
【０００３】
【特許文献１】特開２０１０−７５７４４号公報
【特許文献２】特開２００９−２８４４６号公報
【考案の開示】
【考案が解決しようとする課題】
【０００４】
しかしながら、通常パチンコ玉用またはメダル用計数機は、通路の端や遊技場の隅などに設置されることが多いが、遊技が終了した顧客にとって計数機の設置場所を容易に確認しやすいとはいえなかった。特にパチンコ遊技場においては、パチンコ玉計数機がパチンコ遊技機の陰になる等、計数機の設置場所を容易確認することはできなかった。またパチスロ遊技場は概して場内照明が暗いことが多く、計数機の設置場所が確認しやすい状態ではなかった。
【０００５】
また、この種の遊技場においては、他店舗からパチンコ玉またはメダルを持ち込むことは、不正行為として厳重に禁止されている。したがって、遊技場側は計数の際に、計数中のパチンコ玉またはメダルが自己の店舗が貸し出したパチンコ玉またはメダルであるか等をパチンコ玉やメダルへの店舗名の刻印や、パチンコ玉やメダルの色から判別する必要があるが、従来の計数機にあっては投入されるパチンコ玉やメダルに不正がないか迅速かつ確実に視認し判別することはできなかった。
【０００６】
そこで、本考案にあっては、これらの欠点を解決し、顧客にあっては計数機の設置場所を充分に認識することができ、かつ、他店からのパチンコ玉、メダルの持ち込みによる不正行為を防止することのできるパチンコ玉またはメダル計数機を提供することを目的とする。
【課題を解決するための手段】
【０００７】
本考案のパチンコ玉またはメダル計数機は、計数機本体と該計数機本体でカウントされたパチンコ玉またはメダルの数を表示する表示部からなるパチンコ玉またはメダル計数機には、計数機本体に投入されるパチンコ玉またはメダルを照射する照明部を備えることを特徴とする。
【０００８】
照明部は、計数機本体の上方部に設置され、前記計数機本体に投入されるパチンコ玉またはメダルを照射することを特徴とする。
【０００９】
照明部は、計数機本体と前記計数機本体の上方部に形成された表示部との間に設置されることを特徴とする。
【００１０】
照明部は、計数機本体の玉受け部の開口内側部に設置され、前記計数機本体に投入されるパチンコ玉またはメダルを照射することを特徴とする。
【００１１】
照明部に設置される照明は、単色の照明、多色の照明または照明色が切り替わる多色照明のいずれかであることを特徴とする。
【００１２】
パチンコ玉またはメダル計数機は、照明を点灯させる点灯スイッチ機構、および/または、照明を点滅させる点滅スイッチ機構、および/または、多色照明の照明色を切り替える照明スイッチ機構を備えてなることを特徴とする。
【００１３】
パチンコ玉またはメダル計数機は、パチンコ玉またはメダル計数機の稼働を検知する稼働検知装置を備えてなり、前記稼働検知装置がパチンコ玉またはメダル計数機の稼働を検知すると、照明を点灯させる点灯スイッチ機構、および/または、照明を点滅させる点滅スイッチ機構、および/または、多色照明の照明色を切り替える照明スイッチ機構が作動することを特徴とする。
【００１４】
前記稼働検知装置は、計数機本体の玉受け部に配設される光学センサー、または、温度センサー、または、計数機本体のカウンター端子より出力される電気信号を検出する検出器であることを特徴とする。
【考案の効果】
【００１５】
計数機本体と該計数機本体でカウントされた数を表示する表示部からなるパチンコ玉またはメダル用計数機には、計数機本体に投入されてなるパチンコ玉またはメダルを照射する照明部を備えることにより、パチンコ玉またはメダル計数機の設置場所が識別できるほどに明るくなり、遊技が終了した顧客を計数機に誘導することができる。また、照明部を備えることにより、計数されるパチンコ玉またはメダルの刻印や色を判別しやすくなるため、計数に立ち会う店員は、他店からのパチンコ玉やメダルの持ち込みを発見することができこのような不正行為を防止することができる。さらに、当該照明部の照明が、パチンコ玉またはメダルを照射することにより場内の豪華さを演出することもできる。
【００１６】
照明部は、計数機本体の上方部に設置され、前記計数機本体に投入されるパチンコ玉またはメダルを照射することにより、上記効果に加え、一層効果的に、計数機本体に投入されたパチンコ玉またはメダルを照射することができる。
【００１７】
照明部は、計数機本体の玉受け部またはメダル受け部の内側部に設置することにより、上記効果に加えて、一層効果的に、玉受け部に投入されたパチンコ玉またはメダルを照射することができる。
照明部は、計数機本体と前記計数機本体の上方部に形成された表示部との間に設置されることにより、上記効果に加え、照明を容易に設置することができる。
【００１８】
照明部に設置される照明は、単色の照明、多色の照明または照明色が切り替わる多色照明のいずれかであることにより、パチンコ玉またはメダル計数機に所望される照明効果を得ることができる。
【００１９】
パチンコ玉またはメダル計数機は、照明を点灯させる点灯スイッチ機構、および/または、照明を点滅させる点滅スイッチ機構、および/または、多色照明の照明色を切り替える照明スイッチ機構を備えてなることにより、照明の照射状態を制御し、一層の照明効果を得ることができる。
【００２０】
パチンコ玉またはメダル計数機は、パチンコ玉またはメダル計数機の稼働を検知する稼働検知装置を備えてなり、前記稼働検知装置がパチンコ玉またはメダル計数機の稼働を検知すると、照明を点灯させる点灯スイッチ機構、および/または、照明を点滅させる点滅スイッチ機構、および/または、多色照明の照明色を切り替える照明スイッチ機構が作動することにより、照明の照射状態を確実に制御することができ、一層の照明効果を得ることができる。また、前記稼働検知装置は、計数機本体の玉受け部に配設される光学センサー、または、温度センサー、または、計数機本体のカウンター端子より出力される電気信号を検出する検出器であることによりパチンコ玉またはメダル計数機の稼働を確実に検知することができる。
【図面の簡単な説明】
【００２１】
【図１】本考案の第１の実施の形態のパチンコ玉計数機１の斜視図。
【図２】図１に示すパチンコ玉計数機１の内部構造を省略した縦方向断面図。
【図３】本考案の第２の実施の形態のパチンコ玉計数機３の斜視図。
【考案を実施するための形態】
【００２２】
本考案の第１の実施の形態を、図を用いて説明する。図１は本考案のパチンコ玉計数機１の斜視図、図２はパチンコ玉計数機１の縦方向断面図である。
【００２３】
このパチンコ玉用計数機１は、パチンコ遊技台での遊技が終了した顧客が獲得したパチンコ玉９の数を数える装置である。パチンコ玉計数機１は、パチンコ玉９を計数する計数機本体４と、計数機本体４で計数したパチンコ玉９の数を表示する表示部５と、計数機本体４に投入されるパチンコ玉９を照射する照明部２を備えている。
【００２４】
計数機本体４は、開口投入口から投入されるパチンコ玉９を受ける玉受け部４１と、玉受け部４１に投入されたパチンコ玉９をカウンター８に送るテーパー状のホッパー部４４と、カウンター８をパチンコ玉９が通過する毎にパチンコ玉９を計数するカウンターセンサー（不図示）とからなり、計数機本体４に投入されたパチンコ玉９は、玉受け部４１の傾斜する玉受け部底部４２を転動してホッパー部４４へ送られ、カウンター８通過時に玉数が計数された後、排出口４５を介して玉貸し機（不図示）へと送られるようになっている。
【００２５】
パチンコ玉計数機１には、計数機本体４から立設される一対の側板５３ａ、５３ｂおよび背面板５３ｃからなる脚部により支持される筐体状の表示部５が備えられている。表示部５は、カウンター８と電気的に接続されていて、カウンター８で計数したパチンコ玉の数を正面板５５に設けられた表示画面５１が表示するとともに計数したパチンコ玉の数を印刷した玉数シートを玉数シート排出口５４から排出するようになっている。
【００２６】
この表示部５の底板下面５２には、給電機構（不図示）に接続されてなる照明部２が形成され、計数機本体４の玉受け部４１に投入されるパチンコ玉９を上方から照射するようになっている。第１の実施の形態において、照明部２を構成する照明は、複数個のＬＥＤ照明部材６であって、表示部５の底板下面５２に設けられた凹部５６内に、この複数個連なるＬＥＤ照明部材６が二列に配置収容されている。
【００２７】
ＬＥＤ照明部材６の構成は、所望する照明効果に応じて様々な種類が選択される。選択されるＬＥＤ照明部材６の例としては、緑色、青色、赤色、あるいは白色の発光素子を備えてなる単色照明、または、複数の照射色の異なるＬＥＤ照明部材６を組み合わせてなる多色照明、ＬＥＤ照明部材６が複数の発光素子を備えてなる多色照明、あるいはこれらの多色照明において切り替えスイッチング機構（不図示）により照明色を切り替えることができる照明がある。照明部２のＬＥＤ照明部材６は、電源を入れてから電源を切るまで常時点灯させておいてもよいし、パチンコ玉計数機１の稼働時に点灯させたり、また点灯と消灯を交互に切り替え、点滅させたり、あるいは照射色の異なる多色照明において点灯させるＬＥＤ照明部材６を、例えば、赤、青、緑の順で切り替えるようなスイッチング機構（不図示）を設けてもよい。尚、これらのスイッチング機構は、スイッチング部材および配線等からなるスイッチングユニットである。
【００２８】
ＬＥＤ照明部材６を点灯させたり、また点滅を切り替えたり、あるいは、照射色の異なる多色照明において点灯させるＬＥＤ照明部材６を切り替えるスイッチング機構を作動させるためのパチンコ玉計数機１の稼働を検知する稼働検知装置の一つの例は、計数機本体４の、玉受け部４１の投入口の内側部４３に配設される人感センサー１０である。この人感センサー１０は、投入されるパチンコ玉９の投入、投入者の手（不図示）の動き、あるいは、投入者の手がセンサーに接近したことを検知する光学センサーや温度センサーであって、人感センサー１０がパチンコ玉９または投入者の手を検知することにより、パチンコ玉計数機１の稼働を検知して、スイッチング機構を動作させ、例えば、人感センサー１０がパチンコ玉計数機１の稼働を検知してから一定時間ＬＥＤ照明部材６を点灯させたり、一定時間ＬＥＤ照明部材６を点滅させるようになっている。稼働検知装置の他の例は、計数機本体４のカウンター８のカウンターセンサー稼働時にカウンター８の端子から出力される電気信号を検知する検出器であり、カウンター８の稼働時に端子から出力される電気信号を取得してスイッチング機構を動作させ、例えば、カウンター８の稼働中にＬＥＤ照明部材６を点灯させたり、ＬＥＤ照明部材６を点滅させるようになっている。
【００２９】
このように、パチンコ玉計数機１は、計数機本体４の上方部に設けられる表示部５の底板下面に照明部２を設けることで、玉受け部４１に投入されてなるパチンコ玉９を照射してはっきりと見せることができ、パチンコ玉計数機１の設置場所がはっきりと認識できるほどに明るくなるという効果と、パチンコ玉９の刻印や色が判別しやすくなる効果の両方が得られるという効果を発揮し、さらにはパチンコ玉計数機１や遊技場の豪華、賑やかさを演出するようになっている。
【００３０】
尚、照明部２を構成する照明は、ＬＥＤ照明部材６に限られるものではなく、蛍光灯照明や白熱電球であってもよい。また、ＬＥＤ照明部材６の点灯または消灯の制御は上述したパターンに限られるものではない。
【００３１】
本考案の第２の実施の形態を、図３を用いて説明する。図３は本考案のパチンコ玉計数機３の斜視図である。
【００３２】
このパチンコ玉計数機３は、パチンコ玉９を計数する計数機本体４と、計数機本体４で計数したパチンコ玉９の数を表示する表示部５と、計数機本体４に投入されるパチンコ玉９を照射する照明部７を備えている。
【００３３】
計数機本体４は、投入されるパチンコ玉９を受ける玉受け部４１と、玉受け部４１に投入されたパチンコ玉９をカウンターに送るテーパー状のホッパー部４４と、カウンター８をパチンコ玉９が通過する毎にパチンコ玉９を計数するカウンターセンサー（不図示）とからなり、計数機本体４に投入されたパチンコ玉９は、玉受け部４１の傾斜する玉受け部底部４２を転動してホッパー部４４へ送られ、カウンター８通過時に玉数が計数された後、排出口４５を介して玉貸し機（不図示）へと送られるようになっている。
【００３４】
パチンコ玉計数機３には、計数機本体４から立設される一対の側板５３ａ、５３ｂおよび背面板５３ｃからなる脚部により支持される筐体状の表示部５が備えられている。表示部５は、カウンター８と電気的に接続されていて、カウンター８で計数したパチンコ玉の数を正面板５５に設けられた表示画面５１が表示するとともに計数したパチンコ玉の数を印刷した玉数シートを玉数シート排出口５４から排出するようになっている。
【００３５】
計数機本体４の玉受け部内側部４３の縁部はその四辺に亘って、給電機構（不図示）に接続されてなる照明部７が形成され、計数機本体４の玉受け部４１に投入されるパチンコ玉９を上方から照射するようになっている。第２の実施の形態において、照明部７を構成する照明は、複数個のＬＥＤ照明部材６であって、内側部４３に設けられた凹部５７内に、複数個連なるＬＥＤ照明部材６が一列に配置され、ＬＥＤ照明部材６を透明のカバー部材が覆っている。
【００３６】
ＬＥＤ照明部材６の構成は、所望する照明効果に応じて様々な種類が選択される。選択されるＬＥＤ照明部材６の例としては、緑色、青色、赤色、あるいは白色の単色照明、または、複数の照射色の異なるＬＥＤ照明部材６を組み合わせてなる多色照明、ＬＥＤ照明部材６が複数の発光素子を備えてなる多色照明、あるいはこれらの多色照明において切り替えスイッチング機構（不図示）により照明色を切り替えることができる照明がある。照明部７のＬＥＤ照明部材６は、電源を入れてから電源を切るまで常時点灯させておいてもよいし、パチンコ玉計数機１の稼働時に点灯させたり、また点灯と消灯を交互に切り替え、点滅させたり、あるいは照射色の異なる多色照明において点灯させるＬＥＤ照明部材６を、例えば、赤、青、緑の順で切り替えるようなスイッチング機構（不図示）を設けてもよい。尚、これらのスイッチング機構は、スイッチング部材および配線等からなるスイッチングユニットである。
【００３７】
ＬＥＤ照明部材６を点灯させたり、また点滅を切り替えたり、あるいは、照射色の異なる多色照明において点灯させるＬＥＤ照明部材６を切り替えるスイッチング機構を作動させるためにパチンコ玉計数機１の稼働を検知する稼働検知装置の一つの例は、計数機本体４の、玉受け部４１の投入口の内側部４３に配設される人感センサー１０である。この人感センサー１０は、投入されるパチンコ玉９の投入、投入者の手（不図示）の動き、あるいは、投入者の手がセンサーに接近したことを検知する光学センサーや温度センサーであって、人感センサー１０がパチンコ玉９または投入者の手を検知することにより、パチンコ玉計数機１の稼働を検知して、スイッチング機構を動作させ、例えば、人感センサー１０がパチンコ玉計数機１の稼働を検知してから一定時間ＬＥＤ照明部材６を点灯させたり、一定時間ＬＥＤ照明部材６を点滅させるようになっている。稼働検知装置の他の例は、計数機本体４のカウンター８のカウンターセンサー稼働時にカウンター８の端子から出力される電気信号を検知する検出器であり、カウンター８の稼働時に端子から出力される電気信号を取得してスイッチング機構を動作させ、例えば、カウンター８の稼働中にＬＥＤ照明部材６を点灯させたり、ＬＥＤ照明部材６を点滅させるようになっている。
【００３８】
このように、パチンコ玉計数機３は、計数機本体４の玉受け部内側部４３に照明部７を設けることで、玉受け部４１に投入されてなるパチンコ玉９を照射してはっきりと見せることができ、パチンコ玉計数機３の設置場所がはっきりと認識できるほどに明るくなるという効果と、パチンコ玉９の刻印や色が判別しやすくなる効果の両方が得られるという効果を発揮し、さらにはパチンコ玉計数機３や遊技場の豪華、賑やかさを演出するようになっている。
【００３９】
尚、照明部７を構成する照明は、ＬＥＤ照明部材６に限られるものではなく、蛍光灯照明や白熱電球であってもよい。また、ＬＥＤ照明部材６の点灯または消灯の制御は上述したパターンに限られるものではない。
【００４０】
また、計数機本体と表示部の形状や構成は上述したものに限られるものではなく、他の形状の計数機本体と表示部であってもよい。
【００４１】
また、パチンコ玉計数機の他の実施の形態としては、計数機本体と表示部が別に形成され、独立した計数機本体と表示部とが電気ケーブル等により電気的に接続されている物がある。この計数機本体が独立した態様のパチンコ玉計数機にあっては、計数機本体から縦設される支柱あるいは脚部に照明部を設け、玉受け部に投入されてなるパチンコ玉を上方からスポットライト照射するようになっている。
【００４２】
また、本実施の形態においては、パチンコ玉計数機を例に説明をしたが、パチスロのメダル計数機にも応用することができる。メダル計数機においては、計数される対象がメダルであるとともに、計数機本体の玉受け部とカウンターの形状が計数されるメダルに合わせた形状となり、他の構成は、上述したパチンコ玉計数機と同様であるためその詳細な説明を省略する。
【符号の説明】
【００４３】
１    パチンコ玉計数機
２    照明部
３    パチンコ玉計数機
４    計数機本体
４１  玉受け部
４２  玉受け部底部
４３  玉受け部内側部
４４  ホッパー部
４５  排出口
５    表示部
５１  表示画面
５２  底板下面
５３ａ，５３ｂ  脚部の側板
５３ｃ  脚部の背面板
５４  玉数シート排出口
５５  正面板
５６  凹部
５７  凹部
６    LED照明部材
７    照明部
８    カウンター
９    パチンコ玉
１０  人感センサー
【図１】
0003167514.tif 000003
【図２】
0003167514.tif 000004
【図３】
0003167514.tif 000005